(57)【要約】【課題】本発明は、キャビネット内部での空気の流れが円滑になるような機器取り付け構造を提供することを目的としている。【解決手段】マウントアングル３の機器取り付け部４に設けられたマウント穴５に支持金具８を固定し、支持金具８にはマウント金具９を取り付け可能とすると共に、支持金具８にはマウント金具９を取り付けるための軸穴を設け、軸穴を中心にマウント金具９が回動動作により可変である取り付け角度に対応する長穴を設け、マウント金具９には機器１が固定可能である機器取り付け穴を設けることを特徴とする。【選択図】図１
2009010169.tif 000002
【特許請求の範囲】
【請求項１】
電気・通信機器を収納するためのキャビネットラックに設けられ、機器取り付け部が折曲形成されたマウントアングルへの機器取り付け構造であって、前記機器取り付け部に設けられたマウント穴に支持金具を固定し、該支持金具にはマウント金具を取り付け可能とすると共に、前記支持金具には前記マウント金具を取り付けるための軸穴を設け、該軸穴を中心に前記マウント金具が回動動作により可変である取り付け角度に対応する長穴を設け、前記マウント金具には前記機器が固定可能である機器取り付け穴を設けることを特徴とする機器取り付け構造。
【発明の詳細な説明】
【技術分野】
【０００１】
本発明は、電気・通信機器を収納するためのキャビネットラックに設けられ、機器取り付け部が折曲形成されたマウントアングルへの機器取り付け構造に関するものである。
【背景技術】
【０００２】
近年の情報化に伴い、通信機器や電気機器の品種の増大により、キャビネット内が高密集化し、機器からの排熱量が増加の一途である。キャビネット内部に熱がこもると、実装されている機器に悪影響を及ぼすため、従来よりさまざまな排熱構造が考えられてきている。ファンを用いて排熱するなど、キャビネットに工夫を凝らすことが多い。図７に示すように、キャビネット３１にはマウントアングル３２が設けられ、マウントアングル３２にサーバー等の通信機器３３を取り付け、キャビネット３１に収納する。従来、機器３３の収納数を限定しないように、また、取り付け作業の効率を下げないようにという観点から、キャビネット３１には側面と平行してマウントアングル３２を備え、機器３３は水平に搭載していた。
【特許文献１】特開２００６−１４０３４３号公報
【発明の開示】
【発明が解決しようとする課題】
【０００３】
機器３３に吸気孔３４と排気孔３５をそれぞれ設け、ファン等の排熱機器が取り付けられ、機器３３のケース内部の熱を外部へ排出しようとしていた。温かい空気は高い方へあがるが、キャビネット３１に通信機器３３が水平に取り付けられていることで、機器３３に吸気孔３４と排気孔３５をそれぞれ設けていても、その位置がかみ合わず、機器３３のケース内部での排熱が効率的に行われなかった。そのため、搭載機器に負担がかかりやすい状況となっていた。
【課題を解決するための手段】
【０００４】
そこで本発明は、キャビネット内部での空気の流れが円滑になるような機器取り付け構造を提供することを目的とし、その構造は、機器取り付け部に設けられたマウント穴に支持金具を固定し、支持金具にはマウント金具を取り付け可能とすると共に、支持金具にはマウント金具を取り付けるための軸穴を設け、軸穴を中心にマウント金具が回動動作により可変である取り付け角度に対応する長穴を設け、マウント金具には機器が固定可能である機器取り付け穴を設けることを特徴とする。
【発明の効果】
【０００５】
本発明に係る機器取り付け構造は、機器取り付け部に設けられたマウント穴に支持金具を固定し、支持金具にはマウント金具を取り付け可能とすると共に、支持金具にはマウント金具を取り付けるための軸穴を設け、軸穴を中心にマウント金具が回動動作により可変である取り付け角度に対応する長穴を設け、マウント金具には機器が固定可能である機器取り付け穴を設けるため、機器のマウント金具に対する取り付け角度を５度〜１０度傾斜させることができ、機器内部での熱の流れを円滑にし、排熱効率を向上させることができる。機器にかかる負担も軽減することができるので、長く安全に機器を使用することができる。
【発明を実施するための最良の形態】
【０００６】
本発明に係る機器取り付け構造を示す実施例を図１〜図６の添付図面に基づいて説明する。
【０００７】
通信機器１を収納するキャビネットラック２には、マウントアングル３が設けられている。マウントアングル３は、機器取り付け部４が折曲形成され、機器取り付け部４には複数のマウント穴５が穿設されている。通信機器１の前面６は操作パネルとなっていて、その操作パネルの端部にマウントアングル３への取り付け部７が設けられる。取り付け部７をマウントアングル３にねじ止めして固定される。
【０００８】
本発明に係る機器取り付け構造では、通信機器１をマウントアングル３へ取り付ける際、支持金具８とマウント金具９を介して取り付ける。支持金具８は、マウントアングル３の機器取り付け部４に取り付け可能であるマウントアングル取り付け部１０と、マウント金具９が取り付け可能であるマウント金具取り付け部１１とを折曲形成する。マウントアングル取り付け部１０には、マウントアングル３のマウント穴５に対向する取り付け穴１２を、マウント金具取り付け部１１には、マウント金具９を取り付けるための軸穴１３と長穴１４とをそれぞれ設ける。また、マウント金具９には、支持金具取り付け面１５と機器取り付け面１６とを折曲形成し、支持金具取り付け面１５には支持金具８に設けられた軸穴１３と長穴１４とにそれぞれ対向する位置に支持金具接続穴１７を、機器取り付け面１６には機器取り付け穴１８を設ける。
【０００９】
支持金具８をマウントアングル３に取り付ける。マウントアングル３に設けられているマウント穴５に、支持金具８の取り付け穴１２とを対向させ、ボルト１９とナットで締め付け水平に固定する。支持金具８にはマウント金具９を重ね合わせて、軸穴１３と取り付け穴１２とにそれぞれボルト１９を挿通し、固定する。排熱を考慮する必要がない場合や、通信機器１を傾斜させて取り付けることができない場合には、支持金具８にマウント金具９を平行に重ね合わせ、長穴１４の低い位置からボルト１９を挿通し、取り付け穴１２に通して固定する。また、支持金具８には長穴１４を設けているので、マウント金具９は長穴１４の範囲内において、軸穴１３を中心に支持金具８に対して傾斜させて固定することもできる。長穴１４の略中央部にボルト１９を挿通することでマウント金具９の機器取り付け面１６を傾斜させることができる。その状態で通信機器１を、機器取り付け面１６に固定すると、通信機器１はキャビネットラック２の側面から見た状態で後方に向かって高くなるように傾斜をつけて取り付けられることになる。さらに長穴１４の高い位置にボルト１９を挿通し、その位置でマウント金具９を固定した状態でマウント金具９の機器取り付け面１６に通信機器１を固定すると、通信機器１はキャビネットラック２の側面から見た状態で後方に向かって高くなるようにより急な傾斜をつけて取り付けられることになる。
【００１０】
通信機器１の取り付け角度が変更できることで、温かい空気が上方へ移動するという自然の力を利用し円滑に空気を流し、機器１内で温められた空気を確実に機器外へ排出できる。
【００１１】
本発明に係る機器取り付け構造は、図１〜図２に示す形状に限定されるものではなく、例えば、図３〜図４に示すように、マウント金具２１に機器取り付け面２２から機器の後方に向かってレール部２３を延設し、機器取り付け面２２に機器を固定したとき、レール部２３で機器を支持することで、重量のある機器も確実に取り付けられるようにした形状のものでもよい。
【００１２】
また、例えば、図５〜図６に示すように、支持金具２４のマウント金具取り付け部２５の前面端部を断面略コ字状に折曲部２６を形成し、機器を配線するケーブル等の支持に利用できるような形状でもよく、本発明の趣旨を逸脱しない範囲において適宜変更可能である。
【図面の簡単な説明】
【００１３】
【図１】機器取り付け構造を示す説明図である。
【図２】図１における支持金具とマウント金具を示す説明図である。
【図３】機器取り付け構造の第二実施例を示す説明図である。
【図４】図３における支持金具とマウント金具を示す説明図である。
【図５】機器取り付け構造を示す斜視図である。
【図６】図５における支持金具とマウント金具を示す説明図である。
【図７】機器取り付け構造を示す斜視図である。
【図８】図１における支持金具とマウント金具を示す説明図である。
【符号の説明】
【００１４】
１    通信機器
２    キャビネットラック
３    マウントアングル
４    機器取り付け部
５    マウント穴
６    前面
７    取り付け部
８    支持金具
９    マウント金具
１０  マウント金具取り付け部
１１  マウントアングル取り付け部
１２  取り付け穴
１３  軸穴
１４  長穴
１５  支持金具取り付け面
１６  機器取り付け面
１７  支持金具接続穴
１８  機器取り付け穴
１９  ボルト
２１  マウント金具
２２  機器取り付け面
２３  レール部
２４  支持金具
２５  折曲部
【図１】
2009010169.tif 000003
【図２】
2009010169.tif 000004
【図３】
2009010169.tif 000005
【図４】
2009010169.tif 000006
【図５】
2009010169.tif 000007
【図６】
2009010169.tif 000008
【図７】
2009010169.tif 000009
【図８】
2009010169.tif 000010